(57)【特許請求の範囲】
【請求項１】
受信した高周波信号を増幅する高周波増幅回路と、
前記高周波増幅回路の出力信号を中間周波信号に変換する周波数変換回路と、
前記中間周波信号を増幅する中間周波増幅回路と、
前記中間周波増幅回路の出力信号から検波された映像信号を増幅する映像増幅回路と、
を有し、前記映像増幅回路の出力信号に基づいて前記高周波増幅回路及び前記中間周波増幅回路の利得を制御する映像受信装置において、
前記高周波増幅回路よりも後段に、前記中間周波信号を減衰させる減衰回路を設け、受信した高周波信号の強度が所定レベルよりも高い場合に前記減衰回路を動作させることを特徴とし、かつ、
前記減衰回路は、前記周波数変換回路を構成する中間周波同調回路に設けられることを特徴とする映像受信装置。
【請求項２】
前記中間周波同調回路は、コイルとコンデンサを並列接続して成る同調回路部と、前記中間周波信号を減衰させる減衰回路部と、から成り、
前記減衰回路部は、スイッチングダイオードと、前記スイッチングダイオードのカソードとグランドとの間に直列接続された第１、第２抵抗と、前記スイッチングダイオードのアノードと前記同調回路部の一端との間に接続された第１結合コンデンサと、第１、第２抵抗の接続ノードと前記同調回路部の他端との間に接続された第２結合コンデンサと、を有しており、
前記スイッチングダイオードは、前記映像増幅回路の出力信号に基づいてオン／オフ制御されることを特徴とする請求項１に記載の映像受信装置。
【請求項３】
受信した高周波信号を増幅する高周波増幅回路と、
前記高周波増幅回路の出力信号を中間周波信号に変換する周波数変換回路と、
前記中間周波信号を増幅する中間周波増幅回路と、
前記中間周波増幅回路の出力信号から検波された映像信号を増幅する映像増幅回路と、
を有し、前記映像増幅回路の出力信号に基づいて前記高周波増幅回路及び前記中間周波増幅回路の利得を制御する映像受信装置において、
前記高周波増幅回路よりも後段に、前記中間周波信号を減衰させる減衰回路を設け、受信した高周波信号の強度が所定レベルよりも高い場合に前記減衰回路を動作させることを特徴とし、かつ、
前記中間周波増幅回路は、前記中間周波信号を増幅する第１中間周波増幅回路と、第１中間周波増幅回路の出力信号を増幅する第２中間周波増幅回路と、を有しており、
前記減衰回路は、第１中間周波増幅回路に設けられることを特徴とし、さらに、
第１中間周波増幅回路は、前記周波数変換回路から出力される中間周波信号を増幅する増幅回路部と、前記中間周波信号を減衰させる減衰回路部と、から成り、
前記減衰回路部は、
前記増幅回路部の入力端にアノードが接続されたスイッチングダイオードと、
前記スイッチングダイオードのカソードとグランドとの間に直列接続された第１、第２抵抗と、
前記スイッチングダイオードと前記増幅回路部との接続ノードと、前記周波数変換回路の出力端との間に接続された第１結合コンデンサと、
第１、第２抵抗の接続ノードと前記増幅回路部の出力端との間に接続された第２結合コンデンサと、
を有しており、
前記スイッチングダイオードは、前記映像増幅回路の出力信号に基づいてオン／オフ制御され、前記スイッチングダイオードがオンされる間、前記増幅回路部は非動作とされることを特徴とする映像受信装置。
【発明の詳細な説明】
【０００１】
【発明の属する技術分野】
本発明は、テレビジョン受像機に代表される映像受信装置に関する。
【０００２】
【従来の技術】
図８は従来の映像受信装置の一構成例を示すブロック図である。本図に示す映像受信装置は、受信した高周波信号から所望チャンネルの高周波信号を選択し、該高周波信号を中間周波信号に変換するチューナ回路１’と、チューナ回路１’から出力された前記中間周波信号から映像信号及び音声信号を取り出す映像信号処理回路２’とを備えている。
【０００３】
上記したチューナ回路１’の動作について説明する。アンテナ３で受信された高周波信号はまず入力同調回路４に入力される。入力同調回路４は入力された高周波信号から所望チャンネルの高周波信号を選択し、該高周波信号を高周波増幅回路５に送出する。
【０００４】
高周波増幅回路５は入力された高周波信号を増幅し、該高周波信号を段間同調回路６に送出する。段間同調回路６は入力された高周波信号から妨害信号（所望チャンネル以外の周波数成分）を除き、該高周波信号を混合回路７に送出する。
【０００５】
混合回路７には段間同調回路６から出力された高周波信号以外に、局部発振回路８から出力された局部発振周波数信号が入力されている。なお、局部発振回路８の局部発振周波数は、ＰＬＬ（Phase-Locked-Loop）回路９によって常に一定となるように制御されている。
【０００６】
混合回路７は段間同調回路６から出力された高周波信号と、局部発振回路８から出力された局部発振周波数信号とを混合することで、前記高周波信号を中間周波信号に変換する。該中間周波数信号は混合回路７に接続された中間周波同調回路１０によって余分な信号成分を取り除かれ、局部発振漏れ防止回路１１に送出される。このように、上記した混合回路７、局部発振回路８、ＰＬＬ回路９、及び中間周波同調回路１０によって、入力された高周波信号を中間周波信号に変換する周波数変換回路が構成されている。
【０００７】
局部発振漏れ防止回路１１は入力された中間周波信号から余分な信号成分（局部発振周波数信号など）を広域に除去し、該中間周波信号を次段の映像信号処理回路２’に送出する。
【０００８】
続いて、映像信号処理回路２’の動作について説明する。チューナ回路１’から出力された中間周波信号はまず中間周波増幅回路１２に入力される。中間周波増幅回路１２は入力された中間周波信号を増幅し、該中間周波信号を表面弾性波フィルタ１３（以下、ＳＡＷフィルタ１３と呼ぶ）に送出する。なお、中間周波増幅回路１２の利得は固定されている。
【０００９】
ＳＡＷフィルタ１３は入力された中間周波信号から中間周波帯域以外の周波数成分を除去し、該中間周波信号を映像中間周波増幅回路１４に送出する。映像中間周波増幅回路１４は入力された中間周波信号を増幅し、該中間周波信号を映像検波回路１５及び音声検波回路１７にそれぞれ送出する。
【００１０】
映像検波回路１５は入力された中間周波信号を検波することで映像信号を取り出し、該映像信号を映像増幅回路１６に送出する。映像増幅回路１６は入力された映像信号を増幅し、該映像信号を次段の色信号再生回路等（図示せず）に送出する。また、映像増幅回路１６は該映像信号をＡＧＣ（Auto-Gain-Control）検波回路２０にも送出する。
【００１１】
音声検波回路１７は入力された中間周波信号を検波することで音声中間周波信号を取り出し、該音声中間周波信号を音声中間周波増幅回路１８に送出する。音声中間周波増幅回路１８は入力された音声中間周波信号を増幅し、該音声中間周波信号をＦＭ検波回路１９に送出する。ＦＭ検波回路１９は入力された音声中間周波信号をＦＭ検波することで音声信号を取り出し、該音声信号を次段の音声信号再生回路等（図示せず）に送出する。
【００１２】
一方、ＡＧＣ検波回路２０は入力された映像信号を検波することで該映像信号に含まれる同期信号を取り出し、該同期信号のレベル変動に対応した直流電圧を送出する。ＡＧＣ回路２１はＡＧＣ検波回路２０から出力された直流電圧に基づいて、映像中間周波増幅回路１４の利得制御を行う。同様に、ＲＦＡＧＣ回路２２はＡＧＣ回路２１から出力された直流電圧に基づいて、高周波増幅回路５の利得制御を行う。
【００１３】
ＡＧＣ回路２１及びＲＦＡＧＣ回路２２の動作について、さらに詳細に説明を行う。ＡＧＣ回路２１及びＲＦＡＧＣ回路２２は、受信電波の強さに応じて映像受信装置の利得を自動制御することにより前記映像信号の出力レベルを常に一定に維持するフィードバック回路である。このような制御を行うことにより、前記映像信号の出力レベルの変動を抑制することができ、前記映像信号に波形歪みが発生して画面が歪んだり、色再生が適正に行われなかったりする不具合を低減することができる。
【００１４】
上記したＡＧＣ回路２１及びＲＦＡＧＣ回路２２の利得制御動作において、アンテナ３で受信された入力電波が弱い場合には、前記映像信号のＳ／Ｎが低下しないように高周波増幅回路５が最大利得に固定され、映像中間周波増幅回路１４の利得だけが自動制御される。一方、前記入力電波が強くなり、映像中間周波増幅回路１４の利得制御だけでは前記映像信号の出力レベルを一定に維持できなくなると、映像中間周波増幅回路１４が所定利得（最大利得）とされ、高周波増幅回路５の利得が自動制御される。
【００１５】
【発明が解決しようとする課題】
たしかに、上記構成から成る映像受信装置であれば、ＡＧＣ回路２１及びＲＦＡＧＣ回路２２によって高周波増幅回路５及び映像中間周波増幅回路１４の利得が自動制御されるので、前記映像信号の出力レベルを常に一定に維持することができる。
【００１６】
しかしながら、アンテナ３で受信された入力電波があまりに強い場合、上記構成から成る映像受信装置では、前記映像信号の出力レベルを一定に維持するために高周波増幅回路５の利得が大幅に低下されてしまう。このように高周波増幅回路５の利得が低い状態では、チューナ回路１’のＮＦ（雑音指数；Noise Figure）が悪化して前記映像信号のＳ／Ｎが低下してしまうため、映像受信装置の画質に劣化が生じる。このような課題は携帯性が重視されるポータブルＴＶやカーＴＶ、或いはポータブルＤＶＤやノートパソコン等に搭載される超小型の映像受信装置において特に顕著に現れる。
【００１７】
上記した超小型の映像受信装置は持ち運ぶことを前提に設計されているため、電波受信用のアンテナ３としては携帯性、格納性に優れたロッドアンテナが使用されることが多い。しかし、前記ロッドアンテナは八木アンテナやループアンテナ等に比べて受信効率が悪く、受信信号は極めて微弱なものとなる。そこで、従来の映像受信装置では高周波増幅回路５の利得を上げることによりチューナ回路１’のＮＦが改善されている。
【００１８】
このようにチューナ回路１’を感度重視設計とした場合、アンテナ３で受信された入力電波が通常よりも少し強くなっただけでも、前記映像信号の出力レベルを一定に維持するために高周波増幅回路５の利得が大きく低下されてしまう場合がある。そのため、前述したようにチューナ回路１’のＮＦが劣化して前記映像信号のＳ／Ｎが低下してしまい、映像受信装置の画質に劣化が生じる。
【００１９】
本発明は上記の問題点に鑑み、入力電波の受信状況に関わらず、常に良好な画質を得ることが可能な映像受信装置を提供することを目的とする。
【００２０】
【課題を解決するための手段】
上記目的を達成するために、本発明に係る映像受信装置は、受信した高周波信号を増幅する高周波増幅回路と、前記高周波増幅回路の出力信号を中間周波信号に変換する周波数変換回路と、前記中間周波信号を増幅する中間周波増幅回路と、前記中間周波増幅回路の出力信号から検波された映像信号を増幅する映像増幅回路と、を有し、前記映像増幅回路の出力信号に基づいて前記高周波増幅回路及び前記中間周波増幅回路の利得を制御する映像受信装置において、前記高周波増幅回路よりも後段に、前記中間周波信号を減衰させる減衰回路を設け、受信した高周波信号の強度が所定レベルよりも高い場合に前記減衰回路を動作させる構成としている。
【００２１】
上記構成から成る映像受信装置において、前記減衰回路は、前記周波数変換回路と前記中間周波増幅回路との間に設けるとよい。
【００２２】
具体的には、前記減衰回路を、前記周波数変換回路と前記中間周波増幅回路とを結ぶ信号ラインに一端が接続された結合コンデンサと、前記結合コンデンサの他端にアノードが接続されたスイッチングダイオードと、前記スイッチングダイオードのカソードとグランド間に接続された抵抗と、によって構成し、前記スイッチングダイオードを、前記映像増幅回路の出力信号に基づいてオン／オフ制御するとよい。
【００２３】
或いは、前記減衰回路を、前記周波数変換回路と前記中間周波増幅回路とを結ぶ信号ラインに一端が接続された抵抗と、前記抵抗の他端とグランド間に接続されたスイッチングトランジスタと、によって構成し、前記スイッチングトランジスタを、前記映像増幅回路の出力信号に基づいてオン／オフ制御してもよい。
【００２４】
また、上記構成から成る映像受信装置において、前記減衰回路は、前記周波数変換回路を構成する中間周波同調回路に設けてもよい。
【００２５】
具体的には、前記中間周波同調回路を、コイルとコンデンサを並列接続して成る同調回路部と、前記中間周波信号を減衰させる減衰回路部と、を有する構成とするとともに、前記減衰回路部を、スイッチングダイオードと、前記スイッチングダイオードのカソードとグランドとの間に直列接続された第１、第２抵抗と、前記スイッチングダイオードのアノードと前記同調回路部の一端との間に接続された第１結合コンデンサと、第１、第２抵抗の接続ノードと前記同調回路部の他端との間に接続された第２結合コンデンサと、によって構成し、前記スイッチングダイオードを、前記映像増幅回路の出力信号に基づいてオン／オフ制御するとよい。
【００２６】
また、上記構成から成る映像受信装置において、前記中間周波増幅回路を、前記中間周波信号を増幅する第１中間周波増幅回路と、第１中間周波増幅回路の出力信号を増幅する第２中間周波増幅回路と、を有する構成とし、前記減衰回路を第１中間周波増幅回路に設ける構成としてもよい。
【００２７】
具体的には、第１中間周波増幅回路を、前記周波数変換回路から出力される中間周波信号を増幅する増幅回路部と、前記中間周波信号を減衰させる減衰回路部と、を有する構成とするとともに、前記減衰回路部を、前記増幅回路部の入力端にアノードが接続されたスイッチングダイオードと、前記スイッチングダイオードのカソードとグランドとの間に直列接続された第１、第２抵抗と、前記スイッチングダイオードと前記増幅回路部との接続ノードと、前記周波数変換回路の出力端との間に接続された第１結合コンデンサと、第１、第２抵抗の接続ノードと前記増幅回路部の出力端との間に接続された第２結合コンデンサと、を有する構成とし、前記スイッチングダイオードを、前記映像増幅回路の出力信号に基づいてオン／オフ制御し、前記スイッチングダイオードがオンされる間、前記増幅回路部を非動作とすればよい。
【００２８】
【発明の実施の形態】
まず、本発明に係る映像受信装置の第１実施形態について説明する。図１は本発明に係る映像受信装置の第１実施形態を示すブロック図である。本図に示すように、本実施形態の映像受信装置は、受信した高周波信号から所望チャンネルの高周波信号を選択し、該高周波信号を中間周波信号に変換するチューナ回路１ａと、前記中間周波信号から映像信号及び音声信号を取り出す映像信号処理回路２ａとを備えている。
【００２９】
なお、従来の映像受信装置（図８参照）と同様の構成及び動作を示す部分については、図８と同一の符号を付すことで詳細な説明を省略し、以下では本実施形態の新規な構成部分について重点を置いた説明を行う。
【００３０】
本実施形態の映像受信装置において、アンテナ３で受信された入力電波が強くなり、映像増幅回路１６から出力された映像信号の出力レベルが高まった場合、ＲＦＡＧＣ回路２２の出力電圧は高周波増幅回路５の利得を下げるために小さくなる。逆に、前記入力電波が弱くなり、前記映像信号の出力レベルが低下した場合、ＲＦＡＧＣ回路２２の出力電圧は高周波増幅回路５の利得を上げるために大きくなる。
【００３１】
上記したＲＦＡＧＣ回路２２の出力電圧変化に着目して、本実施形態の映像受信装置には、ＲＦＡＧＣ回路２２の出力電圧が所定値以下となった場合に所定の制御電圧を出力する制御回路３０と、前記制御電圧によってオン／オフ制御される減衰回路３１とを設けている。なお、減衰回路３１は局部発振漏れ防止回路１１と中間周波増幅回路１２との間に設けられており、前記制御電圧が出力されている間、局部発振漏れ防止回路１１から送出された中間周波信号を減衰する。
【００３２】
このような構成とすることにより、ＲＦＡＧＣ回路２２の出力電圧が所定値以下となった時点、すなわち、アンテナ３で受信された入力電波が所定レベルよりも強くなった時点で減衰回路３１がオンとなり、中間周波増幅回路１２に入力される中間周波信号が減衰されるので、その減衰分だけ高周波増幅回路５の利得が上げられる。言い換えれば、前記中間周波信号の減衰分だけ高周波増幅回路５の利得を下げずに済む。従って、チューナ回路１ａのＮＦが改善され、前記映像信号のＳ／Ｎを高めることができる。
【００３３】
一方、ＲＦＡＧＣ回路２２の出力電圧が所定値以上となった時点、すなわち、アンテナ３で受信された入力電波が所定レベルよりも弱くなった時点で減衰回路３１はオフとなる。従って、高周波増幅回路５及び映像中間周波増幅回路１４を通常通り最大利得付近で働かせることができ、前記映像信号のＳ／Ｎを高レベルに維持することができる。
【００３４】
上記の動作により、本実施形態の映像受信装置は、入力電波の受信状況に関わらず、常に良好な画質を得ることが可能である。
【００３５】
図２は減衰回路３１の一構成例を示す回路図である。本図に示すように、本実施形態の減衰回路３１は、直流カット用の結合コンデンサＣ１と、制御回路３０から供給される制御電圧に基づいてオン／オフ制御されるスイッチングダイオードＤ１と、前記中間周波信号の減衰量を決める抵抗Ｒ１と、スイッチングダイオードＤ１のアノードに前記制御電圧を与えるための抵抗Ｒ２と、を有している。
【００３６】
スイッチングダイオードＤ１のアノードは結合コンデンサＣ１を介して局部発振漏れ防止回路１１と中間周波増幅回路１２とを結ぶ信号ラインに接続されている。また、スイッチングダイオードＤ１のアノードは抵抗Ｒ２を介して制御回路３０の出力端にも接続されている。一方、スイッチングダイオードＤ１のカソードは抵抗Ｒ１を介してグランドに接続されている。
【００３７】
上記構成から成る減衰回路３１では、制御回路３０から所定の制御電圧が出力された時点でスイッチングダイオードＤ１のアノードに抵抗Ｒ２を介して直流電圧が印加される。このような電圧印加によってスイッチングダイオードＤ１はショートするため、局部発振漏れ防止回路１１と中間周波増幅回路１２とを結ぶ信号ラインが抵抗Ｒ１を介してグランドに接続される形となる。従って、中間周波増幅回路１２に入力される中間周波信号が減衰され、前述したように高周波増幅回路５の利得が上がる。一方、前記制御電圧が出力されなければスイッチングダイオードＤ１はショートしないため、前記中間周波信号は減衰されない。
【００３８】
このように、減衰回路３１を上記した回路構成とすることにより、入力電波の受信状況に関わらず、常に良好な画質を得ることが可能な映像受信装置を、容易に実現することができる。
【００３９】
図３は減衰回路３１の別構成例を示す回路図である。本図に示すように、本実施形態の減衰回路３１は、制御回路３０から供給される制御電圧に基づいてオン／オフ制御されるｎｐｎ型スイッチングトランジスタＴＲ１と、前記中間周波信号の減衰量を決める抵抗Ｒ３と、スイッチングトランジスタＴＲ１のベースに前記制御電圧を与えるための抵抗Ｒ４と、を有している。
【００４０】
スイッチングトランジスタＴＲ１のコレクタは抵抗Ｒ３を介して局部発振漏れ防止回路１１と中間周波増幅回路１２とを結ぶ信号ラインに接続されている。また、スイッチングトランジスタＴＲ１のベースは抵抗Ｒ４を介して制御回路３０の出力端に接続されている。一方、スイッチングトランジスタＴＲ１のエミッタはグランドに接続されている。
【００４１】
上記構成から成る減衰回路３１では、制御回路３０から所定の制御電圧が出力された時点でスイッチングトランジスタＴＲ１のベースに抵抗Ｒ４を介して直流電圧が印加される。このような電圧印加によってスイッチングトランジスタＴＲ１はオン状態となり、コレクタ・エミッタ間がショートするため、局部発振漏れ防止回路１１と中間周波増幅回路１２とを結ぶ信号ラインが抵抗Ｒ３を介してグランドに接続される形となる。従って、中間周波増幅回路１２に入力される中間周波信号が減衰され、前述したように高周波増幅回路５の利得が上がる。一方、前記制御電圧が出力されなければスイッチングトランジスタＴＲ１はオン状態とならないため、前記中間周波信号は減衰されない。
【００４２】
このように、減衰回路３１を上記した回路構成とすることにより、入力電波の受信状況に関わらず、常に良好な画質を得ることが可能な映像受信装置を、容易に実現することができる。
【００４３】
次に、本発明に係る映像受信装置の第２実施形態について説明する。図４は本発明に係る映像受信装置の第２実施形態を示すブロック図である。本図に示すように、本実施形態の映像受信装置は、受信した高周波信号から所望チャンネルの高周波信号を選択し、該高周波信号を中間周波信号に変換するチューナ回路１ｂと、前記中間周波信号から映像信号及び音声信号を取り出す映像信号処理回路２ｂとを備えている。
【００４４】
なお、従来の映像受信装置（図８参照）と同様の構成及び動作を示す部分については、図８と同一の符号を付すことで詳細な説明を省略し、以下では本実施形態の新規な構成部分について重点を置いた説明を行う。
【００４５】
本実施形態の映像受信装置において、アンテナ３で受信された入力電波が強くなり、映像増幅回路１６から出力された映像信号の出力レベルが高まった場合、ＲＦＡＧＣ回路２２の出力電圧は高周波増幅回路５の利得を下げるために小さくなる。逆に、前記入力電波が弱くなり、前記映像信号の出力レベルが低下した場合、ＲＦＡＧＣ回路２２の出力電圧は高周波増幅回路５の利得を上げるために大きくなる。
【００４６】
上記したＲＦＡＧＣ回路２２の出力電圧変化に着目して、本実施形態の映像受信装置には、ＲＦＡＧＣ回路２２の出力電圧が所定値以下となった場合に所定の制御電圧を出力する制御回路３０を設けている。また、本実施形態の映像受信装置における中間周波同調回路３２は、その内部に前記制御電圧によってオン／オフ制御される減衰回路部を有している。なお、前記減衰回路部は前記制御電圧が出力されている間、混合回路７が出力する中間周波信号を減衰する。
【００４７】
このような構成とすることにより、ＲＦＡＧＣ回路２２の出力電圧が所定値以下となった時点、すなわち、アンテナ３で受信された入力電波が所定レベルよりも強くなった時点で中間周波同調回路３２の減衰回路部がオンとなり、混合回路７が出力する中間周波信号が減衰されるので、その減衰分だけ高周波増幅回路５の利得が上げられる。言い換えれば、前記中間周波信号の減衰分だけ高周波増幅回路５の利得を下げずに済む。従って、チューナ回路１ｂのＮＦが改善され、前記映像信号のＳ／Ｎを高めることができる。
【００４８】
一方、ＲＦＡＧＣ回路２２の出力電圧が所定値以上となった時点、すなわち、アンテナ３で受信された入力電波が所定レベルよりも弱くなった時点で中間周波同調回路３２の減衰回路部はオフとなる。従って、高周波増幅回路５及び映像中間周波増幅回路１４を通常通り最大利得付近で働かせることができ、前記映像信号のＳ／Ｎを高レベルに維持することができる。
【００４９】
上記の動作により、本実施形態の映像受信装置は、入力電波の受信状況に関わらず、常に良好な画質を得ることが可能である。
【００５０】
図５は中間周波同調回路３２の一構成例を示す回路図である。本図に示すように、本実施形態の中間周波同調回路３２は、コイルＬ１とコンデンサＣ２を並列接続して成る同調回路部３２ａと、混合回路７が出力する中間周波信号を減衰する減衰回路部３２ｂと、を有している。
【００５１】
本実施形態の減衰回路部３２ｂは、直流カット用の結合コンデンサＣ３、Ｃ４と、制御回路３０から供給される制御電圧に基づいてオン／オフ制御されるスイッチングダイオードＤ２と、前記中間周波信号の減衰量を決める抵抗Ｒ５と、スイッチングダイオードＤ２のアノードに前記制御電圧を与えるための抵抗Ｒ６と、スイッチングダイオードＤ２に電流を流すための抵抗Ｒ７と、を有している。
【００５２】
スイッチングダイオードＤ２のアノードは結合コンデンサＣ３を介して同調回路部３２ａの一端に接続されている。また、スイッチングダイオードＤ２のアノードは抵抗Ｒ６を介して制御回路３０の出力端にも接続されている。一方、スイッチングダイオードＤ２のカソードは抵抗Ｒ５、Ｒ７を介してグランドに接続されている。なお、抵抗Ｒ５、Ｒ７の接続ノードは結合コンデンサＣ４を介して同調回路部３２ａの他端に接続されている。
【００５３】
上記構成から成る減衰回路部３２ｂでは、制御回路３０から所定の制御電圧が出力された時点でスイッチングダイオードＤ２のアノードに抵抗Ｒ６を介して直流電圧が印加される。このような電圧印加によってスイッチングダイオードＤ２はショートするため、同調回路部３２ａの信号ラインが抵抗Ｒ５、Ｒ７を介してグランドに接続される形となる。従って、混合回路７から出力される中間周波信号が減衰され、前述したように高周波増幅回路５の利得が上がる。一方、前記制御電圧が出力されなければスイッチングダイオードＤ２はショートしないため、前記中間周波信号は減衰されない。
【００５４】
このように、中間周波同調回路３２を上記した回路構成とすることにより、入力電波の受信状況に関わらず、常に良好な画質を得ることが可能な映像受信装置を、容易に実現することができる。
【００５５】
続いて、本発明に係る映像受信装置の第３実施形態について説明する。図６は本発明に係る映像受信装置の第３実施形態を示すブロック図である。本図に示すように、本実施形態の映像受信装置は、受信した高周波信号から所望チャンネルの高周波信号を選択し、該高周波信号を中間周波信号に変換するチューナ回路１ｃと、前記中間周波信号から映像信号及び音声信号を取り出す映像信号処理回路２ｃとを備えている。
【００５６】
なお、従来の映像受信装置（図８参照）と同様の構成及び動作を示す部分については、図８と同一の符号を付すことで詳細な説明を省略し、以下では本実施形態の新規な構成部分について重点を置いた説明を行う。
【００５７】
本実施形態の映像受信装置において、アンテナ３で受信された入力電波が強くなり、映像増幅回路１６から出力された映像信号の出力レベルが高まった場合、ＲＦＡＧＣ回路２２の出力電圧は高周波増幅回路５の利得を下げるために小さくなる。逆に、前記入力電波が弱くなり、前記映像信号の出力レベルが低下した場合、ＲＦＡＧＣ回路２２の出力電圧は高周波増幅回路５の利得を上げるために大きくなる。
【００５８】
上記したＲＦＡＧＣ回路２２の出力電圧変化に着目して、本実施形態の映像受信装置には、ＲＦＡＧＣ回路２２の出力電圧が所定値以下となった場合に所定の制御電圧を出力する制御回路３３を設けている。また、本実施形態の映像受信装置における中間周波増幅回路３４は、入力された中間周波信号を増幅する増幅回路部と、前記制御電圧によってオン／オフ制御される減衰回路部と、を有している。なお、前記減衰回路部は前記制御電圧が出力されている間、前記中間周波信号を減衰する。また、前記減衰回路部が動作状態とされる間、前記増幅回路部は非動作状態とされる。
【００５９】
このような構成とすることにより、ＲＦＡＧＣ回路２２の出力電圧が所定値以下となった時点、すなわち、アンテナ３で受信された入力電波が所定レベルよりも強くなった時点で前記減衰回路部が動作状態となり、その間は前記増幅回路部が非動作状態とされる。従って、中間周波増幅回路３４が出力する中間周波信号が減衰されるので、その減衰分だけ高周波増幅回路５の利得が上げられる。言い換えれば、前記中間周波信号の減衰分だけ高周波増幅回路５の利得を下げずに済む。従って、チューナ回路１ｃのＮＦが改善され、前記映像信号のＳ／Ｎを高めることができる。
【００６０】
一方、ＲＦＡＧＣ回路２２の出力電圧が所定値以上となった時点、すなわち、アンテナ３で受信された入力電波が所定レベルよりも弱くなった時点で前記増幅回路部が動作状態となり、前記減衰回路部が非動作状態となる。従って、高周波増幅回路５及び映像中間周波増幅回路１４を通常通り最大利得付近で働かせることができ、前記映像信号のＳ／Ｎを高レベルに維持することができる。
【００６１】
上記の動作により、本実施形態の映像受信装置は、入力電波の受信状況に関わらず、常に良好な画質を得ることが可能である。
【００６２】
図７は中間周波増幅回路３４の一構成例を示す回路図である。本図に示すように、本実施形態の中間周波増幅回路３４は、局部発振漏れ防止回路１１から出力された中間周波信号を増幅する増幅回路部３４ａと、前記中間周波信号を減衰する減衰回路部３４ｂと、を有している。
【００６３】
本実施形態の増幅回路部３４ａは、直流カット用の結合コンデンサＣ５、Ｃ６と、コイルＬ２と、抵抗Ｒ８、Ｒ９、Ｒ１０と、前記中間周波信号を増幅するｎｐｎ型パワートランジスタＴＲ２と、を有している。
【００６４】
トランジスタＴＲ２のベースは結合コンデンサＣ５及び減衰回路部３４ｂを介して局部発振漏れ防止回路１１の出力端に接続されている。また、トランジスタＴＲ２のベースは抵抗Ｒ８を介して制御回路３３の出力端子Ａに接続される一方で、抵抗Ｒ９を介してグランドにも接続されている。トランジスタＴＲ２のコレクタはコイルＬ２を介して制御回路３３の出力端子Ａに接続される一方で、結合コンデンサＣ６を介してＳＡＷフィルタ１３の入力端にも接続されている。トランジスタＴＲ２のエミッタは抵抗Ｒ１０を介してグランドに接続されている。なお、本構成から成る増幅回路部３４ａは制御回路３３の出力端子Ａから供給される電源電圧によって動作する。
【００６５】
一方、本実施形態の減衰回路部３４ｂは、直流カット用の結合コンデンサＣ７、Ｃ８と、制御回路３３の出力端子Ｂから供給される制御電圧に基づいてオン／オフ制御されるスイッチングダイオードＤ３と、前記中間周波信号の減衰量を決める抵抗Ｒ１１と、スイッチングダイオードＤ３のアノードに前記制御電圧を与えるための抵抗Ｒ１２と、スイッチングダイオードＤ３に電流を流すための抵抗Ｒ１３と、を有している。
【００６６】
スイッチングダイオードＤ３のアノードは結合コンデンサＣ７を介して局部発振漏れ防止回路１１の出力端に接続されている。また、スイッチングダイオードＤ３のアノードは抵抗Ｒ１２を介して制御回路３０の出力端子Ｂにも接続されている。さらに、スイッチングダイオードＤ３のアノードは結合コンデンサＣ５を介してトランジスタＴＲ２のベースにも接続されている。一方、スイッチングダイオードＤ３のカソードは抵抗Ｒ１１、Ｒ１３を介してグランドに接続されている。なお、抵抗Ｒ１１、Ｒ１３の接続ノードは結合コンデンサＣ８を介してＳＡＷフィルタ１３の入力端に接続されている。
【００６７】
上記構成から成る映像受信装置にて、ＲＦＡＧＣ回路２２の出力電圧が所定値以下となった場合、制御回路３３は出力端子Ａからの電源電圧供給を停止し、代わって出力端子Ｂからの制御電圧供給を開始する。これにより、増幅回路部３４ａが非動作状態となり、減衰回路部３４ｂが動作状態となる。
【００６８】
減衰回路部３４ｂでは、制御回路３３の出力端子Ｂから所定の制御電圧が出力された時点でスイッチングダイオードＤ３のアノードに抵抗Ｒ１２を介して直流電圧が印加される。このような電圧印加によってスイッチングダイオードＤ３はショートするため、局部発振漏れ防止回路１１からの信号ラインが抵抗Ｒ１１、Ｒ１３を介してグランドに接続される形となる。従って、局部発振漏れ防止回路１１から出力された中間周波信号は増幅回路部３４ａで増幅されることなく、逆に減衰回路部３４ｂで減衰されてＳＡＷフィルタ１３に出力されるため、前述したように高周波増幅回路５の利得が上がる。
【００６９】
一方、ＲＦＡＧＣ回路２２の出力電圧が所定値以上となった場合、制御回路３３は出力端子Ａからの電源電圧供給を開始し、出力端子Ｂからの制御電圧供給を停止する。これにより、増幅回路部３４ａが動作状態となり、減衰回路部３４ｂが非動作状態となる。従って、前記中間周波信号は減衰されない。
【００７０】
このように、中間周波増幅回路３４を上記した回路構成とすることにより、入力電波の受信状況に関わらず、常に良好な画質を得ることが可能な映像受信装置を、容易に実現することができる。
【００７１】
【発明の効果】
上記した通り、本発明に係る映像受信装置は、受信した高周波信号を増幅する高周波増幅回路と、前記高周波増幅回路の出力信号を中間周波信号に変換する周波数変換回路と、前記中間周波信号を増幅する中間周波増幅回路と、前記中間周波増幅回路の出力信号から検波された映像信号を増幅する映像増幅回路と、を有し、前記映像増幅回路の出力信号に基づいて前記高周波増幅回路及び前記中間周波増幅回路の利得を制御する映像受信装置において、前記高周波増幅回路よりも後段に、前記中間周波信号を減衰させる減衰回路を設け、受信した高周波信号の強度が所定レベルよりも高い場合に前記減衰回路を動作させる構成である。
【００７２】
なお、上記構成から成る映像受信装置において、前記減衰回路は、前記周波数変換回路と前記中間周波増幅回路との間に設けるとよい。または、前記減衰回路を、前記周波数変換回路を構成する中間周波同調回路に設けてもよい。或いは、前記中間周波増幅回路を、前記中間周波信号を増幅する第１中間周波増幅回路と、第１中間周波増幅回路の出力信号を増幅する第２中間周波増幅回路と、を有する構成とし、前記減衰回路を第１中間周波増幅回路に設ける構成としてもよい。
【００７３】
このような構成とすることにより、入力電波の受信状況に関わらず、常に良好な画質を得ることが可能な映像受信装置を実現することができる。特に、本発明に係る映像受信装置は、ポータブルＴＶやカーＴＶ、或いはポータブルＤＶＤやノートパソコン等に搭載される感度重視設計の映像受信装置に適している。
【図面の簡単な説明】
【図１】本発明に係る映像受信装置の第１実施形態を示すブロック図である。
【図２】減衰回路３１の一構成例を示す回路図である。
【図３】減衰回路３１の別構成例を示す回路図である。
【図４】本発明に係る映像受信装置の第２実施形態を示すブロック図である。
【図５】中間周波同調回路３２の一構成例を示す回路図である。
【図６】本発明に係る映像受信装置の第３実施形態を示すブロック図である。
【図７】中間周波増幅回路３４の一構成例を示す回路図である。
【図８】従来の映像受信装置の一構成例を示すブロック図である。
【符号の説明】
１ａ、１ｂ、１ｃ    チューナ回路
２ａ、２ｂ、２ｃ    映像信号処理回路
３    アンテナ
４    入力同調回路
５    高周波増幅回路
６    段間同調回路
７    混合回路
８    局部発振回路
９    ＰＬＬ回路
１０    中間周波同調回路
１１    局部発振漏れ防止回路
１２    中間周波増幅回路
１３    表面弾性波フィルタ（ＳＡＷフィルタ）
１４    映像中間周波増幅回路
１５    映像検波回路
１６    映像増幅回路
１７    音声検波回路
１８    音声中間周波増幅回路
１９    ＦＭ検波回路
２０    ＡＧＣ検波回路
２１    ＡＧＣ回路
２２    ＲＦＡＧＣ回路
３０、３３    制御回路
３１    減衰回路
３２    中間周波同調回路
３２ａ    同調回路部
３２ｂ    減衰回路部
３４    中間周波増幅回路
３４ａ    増幅回路部
３４ｂ    減衰回路部
【図１】
0003703396.tif 000002
【図２】
0003703396.tif 000003
【図３】
0003703396.tif 000004
【図４】
0003703396.tif 000005
【図５】
0003703396.tif 000006
【図６】
0003703396.tif 000007
【図７】
0003703396.tif 000008
【図８】
0003703396.tif 000009